(57)【要約】【課題】容易に複数の入力映像信号を切り替えることが可能なディスプレイ装置およびディスプレイ装置の制御方法を提供する。【解決手段】表示面に表示する複数の入力映像信号を切り替えるディスプレイ装置であって、複数の照度センサと、前記複数の照度センサの各センサ値の変動に基づいて前記複数の入力映像信号の切り換えを行う切替信号を出力する制御部と、を有する。【選択図】図１
2017084026.tif 000002
【特許請求の範囲】
【請求項１】
表示面に表示する複数の入力映像信号を切り替えるディスプレイ装置であって、
複数の照度センサと、
前記複数の照度センサの各センサ値の変動に基づいて前記複数の入力映像信号の切り換えを行う切替信号を出力する制御部と、
を有することを特徴とするディスプレイ装置。
【請求項２】
前記複数の照度センサは第１照度センサおよび第２照度センサにより構成され、
前記第１照度センサおよび前記第２照度センサ各々は、変動後のセンサ値が、所定の基準時間内に、変動前のセンサ値に対して予め設定された基準量以上に変動したことを、ユーザの動作として検知するように、前記ディスプレイ装置に配置される、
ことを特徴とする請求項１に記載のディスプレイ装置。
【請求項３】
前記第１照度センサおよび前記第２照度センサは、前記第１照度センサの変動後の第１センサ値が、所定の第１基準時間内に、変動前の第１センサ値に対して予め設定された第１センサ基準量以上に変動し、前記変動後の第１センサ値が、所定の第２基準時間内に、予め設定された第２センサ基準量以上に変動し前記変動前の第１センサ値に変動した後、
前記第２照度センサの変動後の第２センサ値が、所定の第３基準時間内に、変動前の第２センサ値に対して予め設定された第３センサ基準量以上に変動し、前記変動後の第２センサ値が、所定の第４基準時間内に、予め設定された第４センサ基準量以上に変動し前記変動前の第２センサ値に変動したことを、前記ユーザの動作として検知するように、前記ディスプレイ装置に配置される、
ことを特徴とする請求項２に記載のディスプレイ装置。
【請求項４】
前記第１照度センサのセンサ値の変動量および前記第２照度センサのセンサ値の変動量は、前記ディスプレイ装置が配置される場所の環境光の明暗に応じて、減少量から増加量になるか、または増加量から減少量になるかのいずれか一方が用いられる、
ことを特徴とする請求項２または請求項３に記載のディスプレイ装置。
【請求項５】
表示面に表示する複数の入力映像信号を切り替えるディスプレイ装置の制御方法であって、
複数の照度センサが、検出対象領域内におけるユーザの動作に応じたセンサ値を出力する出力工程と、
制御部が、前記複数の照度センサの各センサ値の変動を判定し、判定結果に基づいて前記複数の入力映像信号の切り換えを行う切替信号を出力する制御工程と、
を含むことを特徴とするディスプレイ装置の制御方法。
【発明の詳細な説明】
【技術分野】
【０００１】
本発明は、ディスプレイ装置およびディスプレイ装置の制御方法に関する。
【背景技術】
【０００２】
従来、ディスプレイ装置において、表示する複数の入力映像信号を切り替える方法としては、ディスプレイ装置の前面に設けられたキーを押し、次の信号に切り替えるというユーザの操作入力が必要であった。この操作の場合のデメリットとして、ユーザが指でディスプレイ装置自身に触ることになるため、手が汚れている場合など指が使えない状態では操作できないという問題があった。
【０００３】
そこで、ユーザが指でディスプレイ装置自身に触ることなく、複数の入力映像信号を切り替えるディスプレイ装置が考えられる。例えば、人の手の動きを検出する検出手段として、３次元位置検出カメラまたは通常のカメラを備え、人の手の動きを検出したときに画像を２次元表示から３次元表示に切り替えるディスプレイ装置が知られている（例えば、特許文献１）。
【先行技術文献】
【特許文献】
【０００４】
【特許文献１】特開２０１２−８８６８８号公報
【発明の概要】
【発明が解決しようとする課題】
【０００５】
しかしながら、カメラでユーザの手の動きを検出する場合、一般に、ユーザはカメラが撮影している範囲（検出対象領域）を把握できない。つまり、ユーザが人の手の動きを検出する検出手段に対して複数の入力映像信号を切り替えるための動作を行うのが困難である。そのため、ディスプレイ装置が検出手段の検出結果に基づいて複数の入力映像信号を切り替えることが容易でないという問題があった。
【０００６】
本発明は上記の点に鑑みてなされたものであり、主たる目的は、容易に複数の入力映像信号を切り替えることが可能なディスプレイ装置およびディスプレイ装置の制御方法を提供することにある。
【課題を解決するための手段】
【０００７】
上記の課題を解決するために、本発明のディスプレイ装置は、表示面に表示する複数の入力映像信号を切り替えるディスプレイ装置であって、複数の照度センサと、前記複数の照度センサの各センサ値の変動に基づいて前記複数の入力映像信号の切り換えを行う切替信号を出力する制御部と、を有することを特徴とする。
【０００８】
また、本発明のディスプレイ装置の制御方法は、表示面に表示する複数の入力映像信号を切り替えるディスプレイ装置の制御方法であって、複数の照度センサが、検出対象領域内におけるユーザの動作に応じたセンサ値を出力する出力工程と、制御部が、前記複数の照度センサの各センサ値の変動を判定し、判定結果に基づいて前記複数の入力映像信号の切り換えを行う切替信号を出力する制御工程と、を含むことを特徴とする。
【発明の効果】
【０００９】
本発明によれば、複数の照度センサは、ユーザの検出対象領域内における動作に応じたセンサ値を出力する。制御部は、複数の照度センサのセンサ値の変動を判定し、判定結果に基づいて複数の入力映像信号の切り換えを行う切替信号を出力する。つまり、ユーザ自身が視認できる複数の照度センサの間という検出対象領域内で手を振る動作を行うことにより、各照度センサは変動するセンサ値を出力する。また、制御部は、センサ値の変動を判定し、切替信号を出力する。この切替信号により、容易に複数の入力映像信号を切り替えることが可能なディスプレイ装置およびディスプレイ装置の制御方法を提供することができる。
【図面の簡単な説明】
【００１０】
【図１】本実施形態のディスプレイ装置１０の概略構成図である。
【図２】照度センサ３および照度センサ４の配置位置を説明するための図である。
【図３】ディスプレイ装置１０の制御方法を示すフローチャートである。
【図４】ディスプレイ装置１０の制御方法を示すフローチャートである。
【図５】ディスプレイ装置１０の制御方法を示すフローチャートである。
【図６】図１に示すディスプレイ装置１０の主要な構成を示す図である。
【発明を実施するための形態】
【００１１】
以下、図面を参照しながら本発明の実施形態について詳しく説明する。図１は、本実施形態のディスプレイ装置１０の概略構成図である。
ディスプレイ装置１０は、ＬＣＤ部１（表示面）、制御部２、照度センサ３（第１照度センサ）、照度センサ４（第２照度センサ）、第１信号入力部５、第２信号入力部６、スケーラー７を含んで構成される。
【００１２】
ＬＣＤ部１は信号ラインを介して入力される入力映像信号を表示する画面である。
第１信号入力部５はディスプレイ装置１０外部にある第１信号源に接続され、第１入力映像信号が入力され、入力された信号を、第１信号ラインを介してスケーラー７に送信する。
第２信号入力部６はディスプレイ装置１０外部にある第２信号源に接続され、第２入力映像信号が入力され、入力された信号を、第２信号ラインを介してスケーラー７に送信する。
なお、ディスプレイ装置１０に入力される入力映像信号は、第１入力映像信号と第２入力映像信号との２つの信号であるが、２以上の複数の入力映像信号であればよい。
スケーラー７は、制御部２が出力する切替信号に応じて、第１信号ラインと信号ラインとの間を接続するか、第２信号ラインと信号ラインとの間を接続する。
【００１３】
照度センサ３および照度センサ４（複数の照度センサ）は、検出対象領域内におけるユーザの動作に応じたセンサ値を、制御部２に対して出力する。検出対象領域とは、ユーザ自身が視認できる照度センサ３および照度センサ４の間という領域のことである。ユーザ自身が視認できる複数の照度センサの間という検出対象領域内で手を振る動作（ジェスチャー動作）を行うことにより、各照度センサは変動するセンサ値を出力する。また、制御部２は、センサ値の変動を判定し、切替信号を出力する。なお、制御部２は、切替信号を出力する処理を行う際、カメラのような検出手段により得られた検出信号を内部で処理する複雑な処理が不要にもなる。
照度センサ３および照度センサ４は、周囲が暗い場合、ユーザのジェスチャーによって手がかざされるとディスプレイ自体の光を反射するため、出力値（照度センサの値）が明るい場合とは逆に増加する。つまり、制御部２は、周囲が暗い場合の照度センサ３および照度センサ４の値の増減の判定を、周囲が明るい場合の照度センサ３および照度センサ４の値の増減の判定とは、逆の判定をすることによって暗い場所でも切替信号を出力する動作が可能となる。
【００１４】
制御部２は、照度センサ３から入力されるセンサ値（本実施形態ではセンサ値Ｖｏｓ１とする）および照度センサ４から入力されるセンサ値（本実施形態ではセンサ値Ｖｏｓ２とする）の変動に基づいて、ユーザの手によるジェスチャー動作（図１においてＭＡとＭＢで示す）が、照度センサ３から照度センサ４へ手を振ったＭＡなのか否かを判定する（本実施形態ではジェスチャー動作可否のカウントと呼ぶ）。また、制御部２は、センサ値Ｖｏｓ１およびセンサ値Ｖｏｓ２の変動に基づいて、ユーザの手によるジェスチャー動作が、照度センサ４から照度センサ３へ手を振ったＭＢなのか否かを判定する。
【００１５】
制御部２は、照度センサ３から照度センサ４へ手を振ったと判定した場合、ＬＣＤ部１に対して信号ラインを介して入力される入力映像信号を、第１入力映像信号から第２入力映像信号へ切替える切替信号を、スケーラー７に対して出力する。また、制御部２は、照度センサ４から照度センサ３へ手を振ったと判定した場合、ＬＣＤ部１に対して信号ラインを介して入力される入力映像信号を、第２入力映像信号から第１入力映像信号へ切替える切替信号を、スケーラー７に対して出力する。このようにして、制御部２は、ＬＣＤ部１に表示する複数の入力映像信号を切り替える。
【００１６】
図２は、照度センサ３および照度センサ４の配置位置を説明するための図である。図２（ａ）および図２（ｂ）は、ＬＣＤ部１を正面から見た図を表している。図２（ａ）はＬＣＤ部１を横置き（Ｌａｎｄｓｃａｐｅ）の状態にした場合の図を、図２（ｂ）はＬＣＤ部１を縦置き（Ｐｏｒｔｒａｉｔ）の状態にした場合の図を表している。
照度センサ３は、図２（ａ）では、ＬＣＤ部１の外周のうち下側の長辺の右側から約１１ｃｍの幅方向の位置に配置されている。また、照度センサ４は、図２（ａ）では、ＬＣＤ部１の外周のうち右側の短辺の下側から約１１ｃｍの高さ方向の位置に配置されている。一方、図２（ｂ）では、ＬＣＤ部１の外周のうち左側の長辺の下側から約１１ｃｍの高さ方向の位置に配置されている。また、照度センサ４は、ＬＣＤ部１の外周のうち下側の短辺の左側から約１１ｃｍの幅方向の位置に配置されている。なお、照度センサ３および照度センサ４は、コントロールキーや電源ＬＥＤと同様に、ＬＣＤ部１の外周に配置されている。
このように、ＬＣＤ部１を横置き、または縦置きにしたときに、高さ方向の照度センサ間の距離を約１１ｃｍとした理由は、平均的な手長が約２２ｃｍであるため、高さ方向の照度センサ間の距離を手長以上にすると、ユーザが腕を動かす必要が生じ、ユーザの行うジェスチャー動作が大きくなってしまうため、利便性に欠けることになるためである。
【００１７】
また、照度センサ間の距離が近いと、手幅により両方のセンサを隠してしまうため、照度センサ間の距離は、平均的な手幅（約９．２ｃｍ）以上である必要がある。高さ方向の照度センサ間の距離を約１１ｃｍとすれば、照度センサ間の距離は約１６ｃｍ（１１×√２）となるため、照度センサ３と照度センサ４とのセンサ値の変動を制御部２が区別して判定することが可能になる。
また、横置きでは、図２（ａ）に示すように右手で左から右へ手を振る動作（図２（ａ）においてＭＣで示す）、縦置きでは、図２（ｂ）に示すように左手で左から右へ手を振る動作（図２（ｂ）においてＭＤで示す）が可能なように、照度センサ３と照度センサ４とが配置されている。すなわち、ＬＣＤ部１の状態が、横置きから縦置きに変わっても（ピボット機能を使用しても）、ジェスチャーの方向が変わらず、ユーザがジェスチャー時手をあまり大きく動かす必要がない位置に、照度センサ３と照度センサ４とが配置されている。照度センサ３と照度センサ４とは、図２（ａ）に示すように配置されることで、ユーザが照度センサ３の上から、照度センサ４の上へと右手を振るジェスチャー動作を行うことにより、あるいは、その逆にユーザが照度センサ４の上から、照度センサ３の上へと右手を振るジェスチャー動作を行うことにより、変動するセンサ値を制御部２に出力する。制御部２は、照度センサ３と照度センサ４とのセンサ値の変動を判定し、判定結果に基づいて切替信号をスケーラー７に出力し、ＬＣＤ部１に表示する複数の入力映像信号を切り替える。
【００１８】
図３〜図５は、ディスプレイ装置１０の制御方法を示すフローチャートである。
ここでは、ユーザが図２（ａ）に示すＬＣＤ部１において、左側のセンサ（照度センサ３）の上から、右側のセンサ（照度センサ４）の上へと右手を振るジェスチャー動作を行う場合について説明する。
左側の照度センサ値が変動する（ステップＳＴ１）。
制御部２は、ジェスチャー動作可否のカウントを開始する（ステップＳＴ２）。
制御部２は、左側のセンサに対するジェスチャー判定のカウントを開始する（ステップＳＴ３）。
制御部２は、センサ値の変動前のセンサ値が基準値以上であるか否かを判定する。制御部２は、センサ値Ｖｏｓ１の変動前のセンサ値（センサ値Ｖｏｓ１ｏとする）が基準値以上であるか否かを判定する（ステップＳＴ４）。この基準値は、後述するパターンＡとパターンＢの処理の切替に用いるための基準値であり、暗所判定基準値Ｖｏｓ１ｒとする。
制御部２は、センサ値Ｖｏｓ１ｏが暗所判定基準値Ｖｏｓ１ｒ以上である場合（ステップＳＴ４−Ｙｅｓ）、ステップＳＴ５Ａに進む。一方、制御部２は、センサ値Ｖｏｓ１ｏが暗所判定基準値Ｖｏｓ１ｒ以下である場合（ステップＳＴ４−Ｎｏ）、ステップＳＴ５Ｂに進む。
【００１９】
制御部２は、センサ値が減少したか否かを判定する（ステップＳＴ５Ａ）。制御部２は、センサ値Ｖｏｓ１がセンサ値Ｖｏｓ１ｏから減少したか否かを判定する。
制御部２は、センサ値Ｖｏｓ１がセンサ値Ｖｏｓ１ｏから減少した場合（ステップＳＴ５Ａ−Ｙｅｓ）、環境光が明るい場合の処理（パターンＡ）に切り替える（ステップＳＴ６Ａ）。
一方、制御部２は、センサ値Ｖｏｓ１がセンサ値Ｖｏｓ１ｏから増加した場合（ステップＳＴ５Ａ−Ｎｏ）、ステップＳＴ２２に進み、ジェスチャー動作がなかった（左側のセンサの上から、右側のセンサの上へと右手を振るジェスチャー動作がなかった）と判定する。
【００２０】
制御部２は、センサ値が増加したか否かを判定する（ステップＳＴ５Ｂ）。制御部２は、センサ値Ｖｏｓ１がセンサ値Ｖｏｓ１ｏから増加したか否かを判定する。
制御部２は、センサ値Ｖｏｓ１がセンサ値Ｖｏｓ１ｏから増加した場合（ステップＳＴ５Ｂ−Ｙｅｓ）、環境光が暗い場合の処理（パターンＢ）に切り替える（ステップＳＴ６Ｂ）。
一方、制御部２は、センサ値Ｖｏｓ１がセンサ値Ｖｏｓ１ｏから減少した場合（ステップＳＴ５Ｂ−Ｎｏ）、ステップＳＴ２２に進み、左側のセンサの上から、右側のセンサの上へと右手を振るジェスチャー動作がなかったと判定する。
【００２１】
制御部２は、ステップＳＴ６ＡまたはステップＳＴ６Ｂの処理の後、左側のセンサ値の変動量が基準量以上であるか否かを判定する（ステップＳＴ７）。制御部２は、センサ値の変動量が、基準量以上であるか否かを、パターンＡの処理ではセンサ値の減少量で、パターンＢの処理ではセンサ値の増加量で、判定する。
ここで、パターンＡの処理において、基準量が、予め設定されるセンサ値の差分基準量ΔＶｏｓ１ｒａＡとすると、センサ値の減少量（センサ値Ｖｏｓ１ｏ−センサ値Ｖｏｓ１）がセンサ値の差分基準量ΔＶｏｓ１ｒａＡ以上であるか否かが判定される。すなわち、センサ値の減少量（センサ値Ｖｏｓ１ｏ−センサ値Ｖｏｓ１）≧センサ値の差分基準量ΔＶｏｓ１ｒａＡであるか否かが判定される。
また、パターンＢの処理において、基準量が、予め設定されるセンサ値の差分基準量ΔＶｏｓ１ｒａＢとすると、センサ値の増加量（センサ値Ｖｏｓ１−センサ値Ｖｏｓ１ｏ）がセンサ値の差分ΔＶｏｓ１ｒａＢ以上であるか否かが判定される。すなわち、センサ値の増加量（センサ値Ｖｏｓ１−センサ値Ｖｏｓ１ｏ）≧センサ値の差分基準量ΔＶｏｓ１ｒａＢであるか否かが判定される。
なお、センサ値の差分基準量ΔＶｏｓ１ｒａＡまたはΔＶｏｓ１ｒａＢを、本実施形態において、第１センサ基準量という。
【００２２】
制御部２は、パターンＡの処理において、センサ値の減少量（センサ値Ｖｏｓ１ｏ−センサ値Ｖｏｓ１）≧センサ値の差分基準量ΔＶｏｓ１ｒａＡである場合（ステップＳＴ７−Ｙｅｓ）、ステップＳＴ８に進む。
制御部２は、左側のセンサ値を記録する（ステップＳＴ８）。制御部２は、左側のセンサ値Ｖｏｓ１を変動後のセンサ値Ｖｏｓ１ｎとして、内部に有する記憶部に記憶させる。
一方、制御部２は、センサ値の減少量（センサ値Ｖｏｓ１ｏ−センサ値Ｖｏｓ１）＜センサ値の差分基準量ΔＶｏｓ１ｒａＡである場合（ステップＳＴ７−Ｎｏ）、ステップＳＴ２２に進み、左側のセンサの上から、右側のセンサの上へと右手を振るジェスチャー動作がなかったと判定する。
【００２３】
また、制御部２は、パターンＢの処理において、センサ値の増加量（センサ値Ｖｏｓ１−センサ値Ｖｏｓ１ｏ）≧センサ値の差分基準量ΔＶｏｓ１ｒａＢである場合（ステップＳＴ７−Ｙｅｓ）、ステップＳＴ８に進み、左側のセンサ値Ｖｏｓ１を変動後のセンサ値Ｖｏｓ１ｎとして、内部に有する記憶部に記憶させる。
一方、制御部２は、センサ値の増加量（センサ値Ｖｏｓ１−センサ値Ｖｏｓ１ｏ）＜センサ値の差分基準量ΔＶｏｓ１ｒａＢである場合（ステップＳＴ７−Ｎｏ）、ステップＳＴ２２に進み、左側のセンサの上から、右側のセンサの上へと右手を振るジェスチャー動作がなかったと判定する。
【００２４】
なお、制御部２は、ステップＳＴ７における処理を行う前に、指定時間内に左側のセンサ値が変動したか否かを判定する。制御部２は、予め設定された指定時間Δｔ１ａ（所定の第１基準時間）内に、左側のセンサ値が変動したか否かを判定する。制御部２は、指定時間Δｔ１ａ内に、左側のセンサ値が変動した場合、ステップＳＴ７における処理に進み、指定時間Δｔ１ａ内に、左側のセンサ値が変動しない場合、ステップＳＴ２２に進み、左側のセンサの上から、右側のセンサの上へと右手を振るジェスチャー動作がなかったと判定する。
【００２５】
制御部２は、ステップＳＴ８における処理を行った後、指定時間内に左側のセンサ値が変動したか否かを判定する（ステップＳＴ９）。制御部２は、予め設定された指定時間Δｔ１ｂ（所定の第２基準時間）内に、左側のセンサ値が変動したか否かを判定する。
制御部２は、指定時間Δｔ１ｂ内に、左側のセンサ値が変動した場合、ステップＳＴ１０における処理に進み（ステップＳＴ９−Ｙｅｓ）、指定時間Δｔ１ｂ内に、左側のセンサ値が変動しない場合（ステップＳＴ９−Ｎｏ）、ステップＳＴ２２に進み、左側のセンサの上から、右側のセンサの上へと右手を振るジェスチャー動作がなかったと判定する。
【００２６】
制御部２は、ステップＳＴ９−Ｙｅｓの処理の後、左側のセンサ値の変動量が基準量以上であるか否かを判定する（ステップＳＴ１０）。制御部２は、センサ値の変動量が、基準量以上であるか否かを、パターンＡの処理ではセンサ値の増加量で、パターンＢの処理ではセンサ値の減少量で、判定する。
ここで、パターンＡの処理において、基準量が、予め設定されるセンサ値の差分基準量ΔＶｏｓ１ｒｂＡとすると、センサ値の増加量（センサ値Ｖｏｓ１−センサ値Ｖｏｓ１ｎ）がセンサ値の差分基準量ΔＶｏｓ１ｒｂＡ以上であるか否かが判定される。すなわち、センサ値の増加量（センサ値Ｖｏｓ１−センサ値Ｖｏｓ１ｎ）≧センサ値の差分基準量ΔＶｏｓ１ｒｂＡであるか否かが判定される。
また、パターンＢの処理において、基準量が、予め設定されるセンサ値の差分基準量ΔＶｏｓ１ｒｂＢとすると、センサ値の減少量（センサ値Ｖｏｓ１ｎ−センサ値Ｖｏｓ１）がセンサ値の差分基準量ΔＶｏｓ１ｒｂＢ以上であるか否かが判定される。すなわち、センサ値の減少量（センサ値Ｖｏｓ１ｎ−センサ値Ｖｏｓ１）≧センサ値の差分基準量ΔＶｏｓ１ｒｂＢであるか否かが判定される。
なお、センサ値の差分基準量ΔＶｏｓ１ｒｂＡまたはΔＶｏｓ１ｒｂＢを、本実施形態において、第２センサ基準量という。第２センサ基準量は、第１センサ基準量と略同じ値に設定される。
【００２７】
制御部２は、パターンＡの処理において、センサ値の増加量（センサ値Ｖｏｓ１−センサ値Ｖｏｓ１ｎ）≧センサ値の差分基準量ΔＶｏｓ１ｒｂＡである場合（ステップＳＴ１０−Ｙｅｓ）、ステップＳＴ１１に進む。
制御部２は、左側のセンサに対するジェスチャー判定のカウントを停止する（ステップＳＴ１１）。
一方、制御部２は、センサ値の増加量（センサ値Ｖｏｓ１−センサ値Ｖｏｓ１ｎ）＜センサ値の差分基準量ΔＶｏｓ１ｒｂＡである場合（ステップＳＴ１０−Ｎｏ）、ステップＳＴ２２に進み、左側のセンサの上から、右側のセンサの上へと右手を振るジェスチャー動作がなかったと判定する。
【００２８】
また、制御部２は、パターンＢの処理において、センサ値の減少量（センサ値Ｖｏｓ１ｎ−センサ値Ｖｏｓ１）≧センサ値の差分基準量ΔＶｏｓ１ｒｂＢである場合（ステップＳＴ１０−Ｙｅｓ）、ステップＳＴ１１に進み、左側のセンサに対するジェスチャー判定のカウントを停止する。
一方、制御部２は、センサ値の減少量（センサ値Ｖｏｓ１ｎ−センサ値Ｖｏｓ１）＜センサ値の差分基準量ΔＶｏｓ１ｒｂＢである場合（ステップＳＴ１０−Ｎｏ）、ステップＳＴ２２に進み、左側のセンサの上から、右側のセンサの上へと右手を振るジェスチャー動作がなかったと判定する。
【００２９】
制御部２は、ステップＳＴ１１の処理の後、右側のセンサに対するジェスチャー判定のカウントを開始する（ステップＳＴ１２）。
制御部２は、ステップＳＴ１２における処理を行った後、指定時間内に右側のセンサ値が変動したか否かを判定する（ステップＳＴ１３）。制御部２は、予め設定された指定時間Δｔ２ａ（所定の第３基準時間）内に、右側のセンサ値が変動したか否かを判定する。
制御部２は、指定時間Δｔ２ａ内に、右側のセンサ値が変動した場合、ステップＳＴ１４における処理に進み（ステップＳＴ１３−Ｙｅｓ）、指定時間Δｔ２ａ内に、右側のセンサ値が変動しない場合（ステップＳＴ１３−Ｎｏ）、ステップＳＴ２２に進み、左側のセンサの上から、右側のセンサの上へと右手を振るジェスチャー動作がなかったと判定する。
【００３０】
制御部２は、ステップＳＴ１３−Ｙｅｓの処理の後、右側のセンサ値の変動量が基準量以上であるか否かを判定する（ステップＳＴ１４）。制御部２は、センサ値の変動量が、基準量以上であるか否かを、パターンＡの処理ではセンサ値の減少量で、パターンＢの処理ではセンサ値の増加量で、判定する。
ここで、パターンＡの処理において、基準量が、予め設定されるセンサ値の差分基準量ΔＶｏｓ２ｒａＡとすると、センサ値の減少量（センサ値Ｖｏｓ２ｏ−センサ値Ｖｏｓ２）がセンサ値の差分基準量ΔＶｏｓ２ｒａＡ以上であるか否かが判定される。すなわち、センサ値の減少量（センサ値Ｖｏｓ２ｏ−センサ値Ｖｏｓ２）≧センサ値の差分基準量ΔＶｏｓ２ｒａＡであるか否かが判定される。なお、センサ値Ｖｏｓ２の変動前のセンサ値を、センサ値Ｖｏｓ２ｏとする。
また、パターンＢの処理において、基準量が、予め設定されるセンサ値の差分基準量ΔＶｏｓ２ｒａＢとすると、センサ値の増加量（センサ値Ｖｏｓ２−センサ値Ｖｏｓ２ｏ）がセンサ値の差分ΔＶｏｓ２ｒａＢ以上であるか否かが判定される。すなわち、センサ値の増加量（センサ値Ｖｏｓ２−センサ値Ｖｏｓ２ｏ）≧センサ値の差分基準量ΔＶｏｓ２ｒａＢであるか否かが判定される。
なお、センサ値の差分基準量ΔＶｏｓ２ｒａＡまたはΔＶｏｓ２ｒａＢを、本実施形態において、第３センサ基準量という。
【００３１】
制御部２は、パターンＡの処理において、センサ値の減少量（センサ値Ｖｏｓ２ｏ−センサ値Ｖｏｓ２）≧センサ値の差分基準量ΔＶｏｓ２ｒａＡである場合（ステップＳＴ１４−Ｙｅｓ）、ステップＳＴ１５に進む。
制御部２は、右側のセンサ値を記録する（ステップＳＴ１５）。制御部２は、右側のセンサ値Ｖｏｓ２を変動後のセンサ値Ｖｏｓ２ｎとして、内部に有する記憶部に記憶させる。
一方、制御部２は、センサ値の減少量（センサ値Ｖｏｓ２ｏ−センサ値Ｖｏｓ２）＜センサ値の差分基準量ΔＶｏｓ２ｒａＡである場合（ステップＳＴ１４−Ｎｏ）、ステップＳＴ２２に進み、左側のセンサの上から、右側のセンサの上へと右手を振るジェスチャー動作がなかったと判定する。
【００３２】
また、制御部２は、パターンＢの処理において、センサ値の増加量（センサ値Ｖｏｓ２−センサ値Ｖｏｓ２ｏ）≧センサ値の差分基準量ΔＶｏｓ２ｒａＢである場合（ステップＳＴ１４−Ｙｅｓ）、ステップＳＴ１５に進み、右側のセンサ値Ｖｏｓ２を変動後のセンサ値Ｖｏｓ２ｎとして、内部に有する記憶部に記憶させる。
一方、制御部２は、センサ値の増加量（センサ値Ｖｏｓ２−センサ値Ｖｏｓ２ｏ）＜センサ値の差分基準量ΔＶｏｓ２ｒａＢである場合（ステップＳＴ１４−Ｎｏ）、ステップＳＴ２２に進み、左側のセンサの上から、右側のセンサの上へと右手を振るジェスチャー動作がなかったと判定する。
【００３３】
制御部２は、ステップＳＴ１５における処理を行った後、指定時間内に右側のセンサ値が変動したか否かを判定する（ステップＳＴ１６）。制御部２は、予め設定された指定時間Δｔ２ｂ（所定の第４基準時間）内に、右側のセンサ値が変動したか否かを判定する。
制御部２は、指定時間Δｔ２ｂ内に、右側のセンサ値が変動した場合、ステップＳＴ１７における処理に進み（ステップＳＴ１６−Ｙｅｓ）、指定時間Δｔ２ｂ内に、右側のセンサ値が変動しない場合（ステップＳＴ１６−Ｎｏ）、ステップＳＴ２２に進み、左側のセンサの上から、右側のセンサの上へと右手を振るジェスチャー動作がなかったと判定する。
【００３４】
制御部２は、ステップＳＴ１６−Ｙｅｓの処理の後、右側のセンサ値の変動量が基準量以上であるか否かを判定する（ステップＳＴ１７）。制御部２は、センサ値の変動量が、基準量以上であるか否かを、パターンＡの処理ではセンサ値の増加量で、パターンＢの処理ではセンサ値の減少量で、判定する。
ここで、パターンＡの処理において、基準量が、予め設定されるセンサ値の差分基準量ΔＶｏｓ２ｒｂＡとすると、センサ値の増加量（センサ値Ｖｏｓ２−センサ値Ｖｏｓ２ｎ）がセンサ値の差分基準量ΔＶｏｓ２ｒｂＡ以上であるか否かが判定される。すなわち、センサ値の増加量（センサ値Ｖｏｓ２−センサ値Ｖｏｓ２ｎ）≧センサ値の差分基準量ΔＶｏｓ２ｒｂＡであるか否かが判定される。
また、パターンＢの処理において、基準量が、予め設定されるセンサ値の差分基準量ΔＶｏｓ２ｒｂＢとすると、センサ値の減少量（センサ値Ｖｏｓ２ｎ−センサ値Ｖｏｓ２）がセンサ値の差分基準量ΔＶｏｓ２ｒｂＢ以上であるか否かが判定される。すなわち、センサ値の減少量（センサ値Ｖｏｓ２ｎ−センサ値Ｖｏｓ２）≧センサ値の差分基準量ΔＶｏｓ２ｒｂＢであるか否かが判定される。
なお、センサ値の差分基準量ΔＶｏｓ２ｒｂＡまたはΔＶｏｓ２ｒｂＢを、本実施形態において、第４センサ基準量という。第４センサ基準量は、第３センサ基準量と略同じ値に設定される。
【００３５】
制御部２は、パターンＡの処理において、センサ値の増加量（センサ値Ｖｏｓ２−センサ値Ｖｏｓ２ｎ）≧センサ値の差分基準量ΔＶｏｓ２ｒｂＡである場合（ステップＳＴ１７−Ｙｅｓ）、ステップＳＴ１８に進む。
制御部２は、右側のセンサに対するジェスチャー判定のカウントを停止する（ステップＳＴ１８）。
一方、制御部２は、センサ値の増加量（センサ値Ｖｏｓ２−センサ値Ｖｏｓ２ｎ）＜センサ値の差分基準量ΔＶｏｓ２ｒｂＡである場合（ステップＳＴ１７−Ｎｏ）、ステップＳＴ２２に進み、左側のセンサの上から、右側のセンサの上へと右手を振るジェスチャー動作がなかったと判定する。
【００３６】
また、制御部２は、パターンＢの処理において、センサ値の減少量（センサ値Ｖｏｓ２ｎ−センサ値Ｖｏｓ２）≧センサ値の差分基準量ΔＶｏｓ２ｒｂＢである場合（ステップＳＴ１７−Ｙｅｓ）、ステップＳＴ１８に進み、右側のセンサに対するジェスチャー判定のカウントを停止する。
一方、制御部２は、センサ値の減少量（センサ値Ｖｏｓ２ｎ−センサ値Ｖｏｓ２）＜センサ値の差分基準量ΔＶｏｓ２ｒｂＢである場合（ステップＳＴ１７−Ｎｏ）、ステップＳＴ２２に進み、左側のセンサの上から、右側のセンサの上へと右手を振るジェスチャー動作がなかったと判定する。
【００３７】
制御部２は、ステップＳＴ１８の処理の後、ジェスチャー動作可否のカウントを停止する（ステップＳＴ１９）。
制御部２は、ステップＳＴ１９の処理の後、ジェスチャー動作可否のカウントが基準内にあるか否かを判定する（ステップＳＴ２０）。制御部２は、ジェスチャー動作可否のカウントが基準内にある場合（ステップＳＴ２０−Ｙｅｓ）、左側のセンサの上から、右側のセンサの上へと右手を振るジェスチャー動作があったと判定する（ステップＳＴ２１）。一方、制御部２は、ジェスチャー動作可否のカウントが基準外にある場合（ステップＳＴ２０−Ｎｏ）、ステップＳＴ２２に進み、左側のセンサの上から、右側のセンサの上へと右手を振るジェスチャー動作がなかったと判定する。
【００３８】
以上、説明したように、左側の照度センサおよび右側の照度センサは、各照度センサのセンサ値に変動があった際、センサ値が基準量以上のセンサ値となり、センサ値が再び元のセンサ値近くにまで変動すれば、照度センサ上を手が通り過ぎたというユーザのジェスチャー動作を検知することができる。環境光が明るい場合、センサ値の再変動（センサ値が再び元のセンサ値近くにまで変動）がない場合は、単に照明が落とされたなどして暗くなった状態などと判定できる。また、環境光が暗い場合、モニターの画面（ＬＥＤ部１）の光を手で反射することにより、センサ値が増加するため、制御部に通常とは逆の動作をさせることで、ユーザのジェスチャー動作があったことを判定できる。
このように、制御部２は、左側の照度センサおよび右側の照度センサのセンサ値の変動を判定し、判定結果に基づいて、切替信号をスケーラー７に対して出力することができる。これにより、ディスプレイ装置１０は、ＬＣＤ部１に表示する複数の入力映像信号を容易に切り替えることができる。
【００３９】
次に、図６は、図１に示すディスプレイ装置１０の主要な構成を示す図である。
図６に示すように、ディスプレイ装置１０は、制御部２、複数の照度センサ（照度センサ３、照度センサ４）を含んで構成される。
複数の照度センサ（照度センサ３、照度センサ４）は、ジェスチャー動作（検出対象領域内におけるユーザの動作）に応じたセンサ値を出力する。制御部２は、複数の照度センサの各センサ値の変動を判定し、判定結果に基づいて複数の入力映像信号の切り換えを行う切替信号を出力する。
【００４０】
また、複数の照度センサは、例えば、照度センサ３および照度センサ４により構成される。照度センサ３および照度センサ４各々は、変動後のセンサ値が、所定の基準時間（指定時間Δｔ１ａ、Δｔ１ｂ、Δｔ２ａ、Δｔ２ｂ）内に、変動前のセンサ値に対して予め設定された基準量以上（センサ値の差分基準量ΔＶｏｓ１ｒａＡまたはΔＶｏｓ１ｒａＢ以上、センサ値の差分基準量ΔＶｏｓ１ｒｂＡまたはΔＶｏｓ１ｒｂＢ以上、センサ値の差分基準量ΔＶｏｓ２ｒａＡまたはΔＶｏｓ２ｒａＢ以上、センサ値の差分基準量ΔＶｏｓ２ｒｂＡまたはΔＶｏｓ２ｒｂＢ以上）に変動したことを、検出対象領域内におけるユーザの動作として検知するように、ディスプレイ装置に配置される。
【００４１】
すなわち、照度センサ３は、照度センサ３の変動後の第１センサ値（センサ値Ｖｏｓ１ｎ）が、所定の第１基準時間（指定時間Δｔ１ａ）内に、変動前の第１センサ値（センサ値Ｖｏｓ１ｏ）に対して予め設定された第１センサ基準量以上（センサ値の差分基準量ΔＶｏｓ１ｒａＡまたはΔＶｏｓ１ｒａＢ以上）に変動し、変動後の第１センサ値（センサ値Ｖｏｓ１ｎ）が、所定の第２基準時間（指定時間Δｔ１ｂ）内に、予め設定された第２センサ基準量以上（センサ値の差分基準量ΔＶｏｓ１ｒｂＡまたはΔＶｏｓ１ｒｂＢ以上）に変動し変動前の第１センサ値（センサ値Ｖｏｓ１ｏ）に変動する。その後、照度センサ４は、照度センサ４の変動後の第２センサ値（センサ値Ｖｏｓ２ｎ）が、所定の第３基準時間（指定時間Δｔ２ａ）内に、変動前の第２センサ値（センサ値Ｖｏｓ２ｏ）に対して予め設定された第３センサ基準量以上（センサ値の差分基準量ΔＶｏｓ２ｒａＡまたはΔＶｏｓ２ｒａＢ以上）に変動し、変動後の第２センサ値（センサ値Ｖｏｓ２ｎ）が、所定の第４基準時間（指定時間Δｔ２ｂ）内に、予め設定された第４センサ基準量以上（センサ値の差分基準量ΔＶｏｓ２ｒｂＡまたはΔＶｏｓ２ｒｂＢ以上）に変動し変動前の第２センサ値（センサ値Ｖｏｓ２ｏ）に変動する。照度センサ３および照度センサ４は、これらの照度センサ３および照度センサ４の変動を、ジェスチャー動作として検知するように、ディスプレイ装置に配置される。
なお、第１〜第４基準時間（所定の基準時間）、および第１〜第４センサ基準量（予め設定された基準量）は、照度センサ３と照度センサ４との配置位置と、照度センサ３と照度センサ４との位置の間をユーザが手を動かす際のジェスチャー動作の速さ（例えば、ユーザが手を振るスピード）などから、制御部２が第１センサ値および第２センサ値の変動を判定しやすい値に予め設定されている。
【００４２】
また、照度センサ３のセンサ値の変動量および照度センサ４のセンサ値の変動量は、ディスプレイ装置が配置される場所の環境光の明暗に応じて、減少量から増加量になるか、または増加量から減少量になるかのいずれか一方が用いられる。
すなわち、制御部２は、環境光が明るい場合、照度センサ３のセンサ値の変動量を減少量で判定した後（ステップＳＴ７）、照度センサ３のセンサ値の変動量を増加量で判定する（ステップＳＴ１０）。また、制御部２は、環境光が明るい場合、照度センサ４のセンサ値の変動量を減少量で判定した後（ステップＳＴ１４）、照度センサ４のセンサ値の変動量を増加量で判定する（ステップＳＴ１７）。これにより、制御部２は、環境光が明るい場合、ユーザの手によるジェスチャー動作が、照度センサ３から照度センサ４へ手を振ったとの判定をすることができる。
一方、制御部２は、環境光が暗い場合、照度センサ３のセンサ値の変動量を増加量で判定した後（ステップＳＴ７）、照度センサ３のセンサ値の変動量を減少量で判定する（ステップＳＴ１０）。また、制御部２は、環境光が暗い場合、照度センサ４のセンサ値の変動量を増加量で判定した後（ステップＳＴ１４）、照度センサ４のセンサ値の変動量を減少量で判定する（ステップＳＴ１７）。これにより、制御部２は、環境光が暗い場合、ユーザの手によるジェスチャー動作が、照度センサ３から照度センサ４へ手を振ったとの判定をすることができる。
【００４３】
このように、本実施形態のディスプレイ装置１０によれば、容易に複数の入力映像信号を切り替えることが可能なディスプレイ装置およびディスプレイ装置の制御方法を提供することができる。
【００４４】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態においては、照度センサが照度センサ３と照度センサ４との２つである場合について説明したが、照度センサは３つ以上でもよい。
【００４５】
また、図１におけるディスプレイ装置１０の機能を実現するためのプログラムをコンピュータ読み取り可能な記録媒体に記録して、この記録媒体に記録されたプログラムをコンピュータシステムに読み込ませ、実行することにより、映像表示装置１００のＰＢＰ表示の制御を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【００４６】
１…ＬＣＤ部（表示面）、２…制御部、３…照度センサ（第１照度センサ）、４…照度センサ（第２照度センサ）、５…第１信号入力部、６…第２信号入力部、７…スケーラー、１０…ディスプレイ装置
【図１】
2017084026.tif 000003
【図２】
2017084026.tif 000004
【図３】
2017084026.tif 000005
【図４】
2017084026.tif 000006
【図５】
2017084026.tif 000007
【図６】
2017084026.tif 000008